(57)【特許請求の範囲】
【請求項１】
機能の設定を受け付ける複数の機能設定キーを含む機能画面を表示する表示部と、
前記表示部に第１の機能画面を表示させる指示が入力される第１の操作キーと、
前記表示部に、前記第１の機能画面とは異なる第２の機能画面を表示させる指示が入力される第２の操作キーと、
前記第１及び第２の操作キーに入力された指示に応じて前記表示部に前記第１及び第２の機能画面を表示させ、前記表示部に表示された前記第１及び第２の機能画面に含まれる前記機能設定キーに対応付けられた指示を、各機能設定キーに対する操作に応じて受け付ける制御部とを備え、
前記制御部は、前記第１及び第２の操作キーが同時に押されており、前記第１及び第２の機能画面に共通する機能設定キーがあるとき、前記表示部に、前記共通する機能設定キーを、他の機能設定キーとは区別して表示させるように、前記第１及び第２の機能画面の両方を同時に表示させる電子機器。
【請求項２】
前記制御部は、前記第１及び第２の操作キーが同時に押されており、前記第１及び第２の操作キーのいずれか一方の操作キーが長押しされたままで他の操作キーが離されたとき、当該一方の操作キーに対応する機能画面の表示領域を当該他の操作キーに対応する機能画面よりも広くして、前記第１及び第２の機能画面を画面分割して前記表示部に表示させる請求項１に記載の電子機器。
【請求項３】
機能の設定を受け付ける複数の機能設定キーを含む機能画面を表示する表示部と、
前記表示部に第１の機能画面を表示させる指示が入力される第１の操作キーと、
前記表示部に、前記第１の機能画面とは異なる第２の機能画面を表示させる指示が入力される第２の操作キーと、
前記第１及び第２の操作キーに入力された指示に応じて前記表示部に前記第１及び第２の機能画面を表示させ、前記表示部に表示された前記第１及び第２の機能画面に含まれる前記機能設定キーに対応付けられた指示を、各機能設定キーに対する操作に応じて受け付ける制御部とを備え、
前記制御部は、前記第１及び第２の操作キーのいずれか一方の操作キーが先に押された状態で他の操作キーが後から押されており、前記第１及び第２の機能画面に共通する機能設定キーがあるとき、前記共通する機能設定キーを、他の機能設定キーとは区別して表示させるとともに、当該一方の操作キーに対応する機能画面の表示領域を当該他の操作キーに対応する機能画面よりも広くして表示させるように、前記第１及び第２の機能画面を画面分割して前記表示部に表示させる電子機器。
【請求項４】
前記制御部は、前記第１及び第２の機能画面における前記機能設定キーの個数を、当該前記第１及び第２の機能画面を単独で表示させる場合の個数よりも減らして、前記表示部に前記第１及び第２の機能画面を画面分割して表示させる請求項３に記載の電子機器。
【請求項５】
前記制御部は、前記第１及び第２の操作キーのいずれか一方の操作キーが長押しされたままで他の操作キーが押されたとき、当該一方の操作キーに対応する機能画面における前記機能設定キー以外の領域を半透明表示にして、当該領域に前記他の操作キーに対応する機能画面を表示することで、前記第１及び第２の機能画面を同時に表示させる請求項１に記載の電子機器。
【請求項６】
前記制御部は、前記第１及び第２の操作キーを示す画像をソフトキーとして前記表示部に表示させ、前記表示部に備えられたタッチパネル機能により前記第１及び第２の操作キーに対応する指示が前記制御部に入力され、
前記制御部は、前記第１及び第２の操作キーが同時に押下されたとき、いずれの操作キーに対する当該押下の面積が広いかを、上記タッチパネル機能により入力される信号に基づいて各押下の面積を判定し、当該押下の面積が広い方の操作キーに対応する機能画面の表示領域を、当該押下の面積が狭い方の操作キーに対応する機能画面よりも広くして、前記第１及び第２の機能画面を画面分割して前記表示部に表示させる請求項１に記載の電子機器。
【請求項７】
前記制御部は、前記共通する機能設定キーが押下されたとき、前記共通する機能設定キーの操作によって入力された設定を、前記第１及び第２の機能画面が示す双方の機能についての設定として受け付ける、請求項１に記載の電子機器。
【請求項８】
コンピューターに、
機能の設定を受け付ける複数の機能設定キーを含む機能画面を表示部に表示させ、前記表示部に第１の機能画面を表示させる指示が入力される第１の操作キーに入力される指示と、前記表示部に前記第１の機能画面とは異なる第２の機能画面を表示させる指示が入力される第２の操作キーに入力される指示とに応じて前記表示部に前記第１及び第２の機能画面を表示させ、
前記表示部に表示された前記第１及び第２の機能画面に含まれる前記機能設定キーに対応付けられた指示を、各機能設定キーに対する操作に応じて受け付けさせ、
更に、前記第１及び第２の操作キーが同時に押されており、前記第１及び第２の機能画面に共通する機能設定キーがあるときに、前記表示部に、前記共通する機能設定キーを、他の機能設定キーとは区別して表示させるように、前記第１及び第２の機能画面の両方を同時に表示させる動作を行わせる表示制御プログラム。
【発明の詳細な説明】
【技術分野】
【０００１】
本発明は、複数の機能を有する電子機器と、表示制御プログラムとに関し、特に、複数の機能をまとめて実行する際の操作性を向上させる技術に関する。
【背景技術】
【０００２】
コピー機能、プリンター機能、スキャナー機能、及びファクシミリ機能のような複数の機能を兼ね備えた複合機では、操作者は各機能を切り替えて使用することができる。しかし、複数の機能を続けて行いたい場合、例えば、同じ原稿のコピーとファクシミリ送信を行いたい場合、コピー操作とファクシミリ送信の設定入力操作を別々に行う必要があり不便である。
【０００３】
下記特許文献１には、コピー機能及びファクシミリ機能を実行する場合に原稿の読み取りを１回にすることで、さらに処理時間を短縮したコピー機能とファクシミリ機能を併有する画像形成装置が開示されている。
【先行技術文献】
【特許文献】
【０００４】
【特許文献１】特開２０００−３０７８３４号公報
【発明の概要】
【発明が解決しようとする課題】
【０００５】
上記特許文献１に開示された技術により、１回の原稿読取でコピーとファクシミリ送信を１度に実行することができるが、コピー部数やページ編集等のコピー条件の設定、及びファクシミリ送信の宛先選択等のファクシミリ条件の設定は別々の操作画面で行う必要があり不便である。
【０００６】
本発明は、上記の事情に鑑みなされたものであり、複数の機能を有する電子機器において複数の機能をまとめて実行する際の操作性を向上させることを目的とする。
【課題を解決するための手段】
【０００７】
本発明の一局面に係る電子機器は、機能の設定を受け付ける複数の機能設定キーを含む機能画面を表示する表示部と、前記表示部に第１の機能画面を表示させる指示が入力される第１の操作キーと、前記表示部に、前記第１の機能画面とは異なる第２の機能画面を表示させる指示が入力される第２の操作キーと、
前記第１及び第２の操作キーに入力された指示に応じて前記表示部に前記第１及び第２の機能画面を表示させ、前記表示部に表示された前記第１及び第２の機能画面に含まれる前記機能設定キーに対応付けられた指示を、各機能設定キーに対する操作に応じて受け付ける制御部とを備え、前記制御部は、前記第１及び第２の操作キーが同時に押されており、前記第１及び第２の機能画面に共通する機能設定キーがあるとき、前記表示部に、前記共通する機能設定キーを、他の機能設定キーとは区別して表示させるように、前記第１及び第２の機能画面の両方を同時に表示させるものである。
本発明の別の一局面に係る電子機器は、機能の設定を受け付ける複数の機能設定キーを含む機能画面を表示する表示部と、前記表示部に第１の機能画面を表示させる指示が入力される第１の操作キーと、前記表示部に、前記第１の機能画面とは異なる第２の機能画面を表示させる指示が入力される第２の操作キーと、前記第１及び第２の操作キーに入力された指示に応じて前記表示部に前記第１及び第２の機能画面を表示させ、前記表示部に表示された前記第１及び第２の機能画面に含まれる前記機能設定キーに対応付けられた指示を、各機能設定キーに対する操作に応じて受け付ける制御部とを備え、前記制御部は、前記第１及び第２の操作キーのいずれか一方の操作キーが先に押された状態で他の操作キーが後から押されおり、前記第１及び第２の機能画面に共通する機能設定キーがあるとき、前記共通する機能設定キーを、他の機能設定キーとは区別して表示させるとともに、当該一方の操作キーに対応する機能画面の表示領域を当該他の操作キーに対応する機能画面よりも広くして表示させるように、前記第１及び第２の機能画面を画面分割して前記表示部に表示させるものである。
本発明の別の一局面に係る表示制御プログラムは、コンピューターに、機能の設定を受け付ける複数の機能設定キーを含む機能画面を表示部に表示させ、前記表示部に第１の機能画面を表示させる指示が入力される第１の操作キーに入力される指示と、前記表示部に前記第１の機能画面とは異なる第２の機能画面を表示させる指示が入力される第２の操作キーに入力される指示とに応じて前記表示部に前記第１及び第２の機能画面を表示させ、前記表示部に表示された前記第１及び第２の機能画面に含まれる前記機能設定キーに対応付けられた指示を、各機能設定キーに対する操作に応じて受け付けさせ、更に、前記第１及び第２の操作キーが同時に押されており、前記第１及び第２の機能画面に共通する機能設定キーがあるときに、前記表示部に、前記共通する機能設定キーを、他の機能設定キーとは区別して表示させるように、前記第１及び第２の機能画面の両方を同時に表示させる動作を行わせるものである。
【発明の効果】
【０００８】
本発明によれば、第１及び第２の操作キーが同時に押された状態になると、表示部に第１及び第２の機能画面の両方が同時に表示されるので、複数の機能を有する電子機器において複数の機能についての設定内容をまとめて入力できるので、複数の機能をまとめて実行する際の操作性を向上させることが可能となる。
【図面の簡単な説明】
【０００９】
【図１】本発明の一実施形態に係る電子機器としての画像形成装置の構造を示す正面断面図である。
【図２】画像形成装置の主要内部構成を示す機能ブロック図である。
【図３】操作部に配置された各種操作キー（ハードキー）の一例を示す図である。
【図４】表示部に表示されるコピー画面（第１の機能画面の一例）を示す図である。
【図５】表示部に表示される送信画面（第２の機能画面の一例）を示す図である。
【図６】表示部への機能画面の表示処理の一例を示すフローチャートである。
【図７】コピー画面と送信画面の同時表示の一例（分割表示）を示す図である。
【図８】二つの機能画面の面積比率を変えて分割表示する処理を示すフローチャートである。
【図９】コピー画面と送信画面の同時表示の別例（面積比率を変えた分割表示）を示す図である。
【図１０】同時表示された二つの機能画面に対する操作の処理を示すフローチャートである。
【図１１】コピー画面と送信画面の同時表示の更に別例（重畳表示）を示す図である。
【図１２】表示部に表示される各種操作キー（ソフトキー）の一例を示す図である。
【図１３】ソフトキーが押された場合の表示部への機能画面の表示処理の一例を示すフローチャートである。
【図１４】表示部に表示された操作キー（ソフトキー）の押し方の一例を示す図である。
【図１５】ソフトキーが押された場合の表示部への機能画面の表示処理の別例を示すフローチャートである。
【図１６】表示部に表示された操作キー（ソフトキー）の押し方の別例を示す図である。
【発明を実施するための形態】
【００１０】
以下、本発明の一実施形態に係る電子機器としての画像形成装置、及び表示制御プログラムについて図面を参照して説明する。図１は、本発明の一実施形態に係る電子機器としての画像形成装置の構造を示す正面断面図である。
【００１１】
本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１２】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。
【００１３】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。
【００１４】
画像形成装置１が画像形成動作を行う場合は、上記原稿読取動作により生成された画像データ等に基づいて、画像形成部１２が、給紙部１４から給紙される記録媒体としての用紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１５】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた用紙Ｐに転写させる。この後、定着部１３が、用紙Ｐ上のトナー像を、熱圧着により用紙Ｐに定着させる。定着処理の完了したカラー画像形成済みの用紙Ｐは、排出トレイ１５１に排出される。
【００１６】
図２は、画像形成装置１の主要内部構成を示す機能ブロック図である。画像形成装置１は、制御ユニット１０、操作部４７、原稿給送部６、原稿読取部５、画像メモリー３２、画像形成部１２、定着部１３、駆動モーター７０、ファクシミリ通信部７１、ネットワークインターフェイス部９１、及びＨＤＤ９２等を備える。
【００１７】
原稿読取部５は、制御ユニット１０による制御の下、光照射部及びＣＣＤセンサー等を有する読取機構１６３（図１）を備える。駆動モーター７０は、画像形成部１２の各回転部材及び搬送ローラー対１９（図１）等に回転駆動力を付与する駆動源である。
【００１８】
制御ユニット１０は、ＣＰＵ(Central Processing Unit)、ＲＡＭ、ＲＯＭ及び専用のハードウェア回路等から構成され、画像形成装置１の全体的な動作制御を司る。制御ユニット１０は、制御部１００を備える。
【００１９】
制御部１００は、操作部４７、原稿給送部６、原稿読取部５、画像メモリー３２、画像形成部１２、定着部１３、駆動モーター７０、ファクシミリ通信部７１、ネットワークインターフェイス部９１、及びＨＤＤ９２等と接続され、これら各部の制御を行う。
【００２０】
操作部４７における表示部４７３（図１）はタッチパネル機能を有し、操作者は画面表示されるキーに触れて画像形成装置１を操作することができる。制御部１００は、表示部４７３への各種画面の表示を制御し、また、表示部４７３に表示された各種キーに対する操作者による操作に対応する各種の指示を上記タッチパネル機能に基づいて受け付ける。
【００２１】
制御ユニット１０は、ＨＤＤ９２にインストールされている表示制御プログラムに従った動作により、制御部１００として機能する。但し、当該制御部１００は、制御ユニット１０による表示制御プログラムに従った動作によらず、ハード回路により構成することも可能である。
【００２２】
図３は、操作部４７に配置された各種操作キー（ハードキー）の一例を示す図である。操作部４７には、画像形成装置１が有するコピー機能、プリンター機能、スキャナー機能、及びファクシミリ機能等の各種機能の設定を行うための機能画面を呼び出すための各種操作キー（ハードキー）が配置されている。コピーキーＫ１は、コピー機能の各種設定を行うためのコピー画面を呼び出すキーである。送信キーＫ２は、スキャナー機能の各種設定を行うための送信画面を呼び出すキーである。ファックスキーＫ３は、ファックス機能の各種設定を行うためのファックス画面を呼び出すキーである。
【００２３】
例えば、操作者がコピーキーＫ１を押すと、制御部１００に、コピー画面を表示部４７３に表示させる指示が受け付けられる。制御部１００は、コピー画面を呼び出して表示部４７３に表示させる。図４は、表示部４７３に表示されるコピー画面１０２の例を示す図である。なお、コピー画面１０２は、特許請求の範囲における第１の機能画面の一例である。
【００２４】
コピー画面１０２には、コピー機能の設定を受け付ける複数の機能設定キーＫ１１〜Ｋ１８が含まれる。プレビューキーＫ１１は、表示部４７３に仕上がりイメージを表示させる指示を入力するためのキーである。用紙選択キーＫ１２は、給紙カセットを選択する指示を入力するためのキーである。拡大／縮小キーＫ１３は、原稿の倍率を設定する指示を入力するためのキーである。濃度キーＫ１４は、印刷濃度を設定する指示を入力するためのキーである。両面／分割キーＫ１５は、用紙の両面への印刷や両面原稿の１ページずつの片面印刷を設定する指示を入力するためのキーである。ページ集約キーＫ１６は、複数枚の原稿を１枚に集約して印刷する設定を入力するためのキーである。原稿サイズキーＫ１７は、原稿の読み込みサイズを設定する指示を入力するためのキーである。
【００２５】
ショートカットキーＫ１８は、よく使う機能を簡単に呼び出す設定を入力するためのキーである。ショートカットキーＫ１８は複数個用意されており、例えば、ページ集約［２ｉｎ１］でレイアウト［左→右」という機能をよく使う場合、当該機能が任意のショートカットキーＫ１８に対応付けられる。操作者が当該各キーを押すと、制御部１００に、当該各キーに対応付けられたそれぞれの指示が受け付けられる。
【００２６】
また、例えば、操作者が送信キーＫ２（図３）を押すと、制御部１００に、送信画面を呼び出して表示部４７３に表示させる指示が受け付けられる。図５は、表示部４７３に表示される送信画面１０３を示す図である。なお、送信画面は、特許請求の範囲における第２の機能画面の一例である。
【００２７】
送信画面１０３には、スキャナー機能の設定を受け付ける複数の機能設定キーＫ２１〜Ｋ２５が含まれる。操作者が当該各キーを押すと、制御部１００に、当該各キーに対応付けられたそれぞれの指示が受け付けられる。プレビューキーＫ２１は、表示部４７３に送信イメージを表示させる指示を入力するためのキーである。ワンタッチキーＫ２２は、宛先をワンタッチで選択するためのキーである。ワンタッチキーＫ２２は、複数個用意されており、操作者は原稿読取部５による読取で得られた原稿画像の宛先を任意のワンタッチキーＫ２２に登録する指示を入力するキーである。宛先は、ＦＡＸ送信先の他、図略のサーバー装置の共有フォルダ等を含む。
【００２８】
アドレス帳キーＫ２３は、アドレス帳を呼び出す指示を入力するためのキーである。アドレス帳キーＫ２３を押すと、制御部１００は、ワンタッチキーＫ２２の上部に宛先一覧を表示部４７３に表示させ、操作者は、ワンタッチキーＫ２２に登録されていない任意の宛先を宛先一覧から選択することができる。
【００２９】
新規メールキーＫ２４は、アドレス帳に登録されていない宛先へメールを送信する指示を入力するためのキーである。新規メールキーＫ２４を押すと、制御部１００は、メールアドレスの入力画面（不図示）を表示部４７３に表示させ、操作者は、任意のメールアドレスを直接入力することができる。
【００３０】
新規フォルダーキーＫ２５は、アドレス帳に登録されていない共有フォルダを指定する指示を入力するためのキーである。新規フォルダーキーＫ２５を押すと、制御部１００は、ホスト名、パス、ログインユーザー名、及びログインパスワードの入力画面（不図示）を表示部４７３に表示させ、操作者は、図略のサーバー装置において新たな共有フォルダを作成することができる。
【００３１】
次に、制御部１００による機能画面の表示制御について説明する。図６は、表示部４７３への機能画面の表示処理の一例を示すフローチャートである。
【００３２】
制御部１００は、操作部４７に配置されたコピーキーＫ１や送信キーＫ２等の操作キーが押されたことを検知すると（Ｓ１でＹＥＳ）、一つの操作キーが押されたか、又は、二つの操作キーが同時に押されているか（二つの操作キーが両方とも押下されている時間帯があるか。以下同じ）を判定する（Ｓ２）。
【００３３】
制御部１００は、二つの操作キーが同時に押されておらず、一つの操作キーが押されたと判定した場合（Ｓ２でＮＯ）、当該押された操作キーに対応する機能画面を表示部４７３に表示させる（Ｓ３）。例えば、制御部１００は、コピーキーＫ１が押された場合には図４に示したコピー画面１０２を表示させ、送信キーＫ２が押された場合には図５に示した送信画面１０３を表示させる。
【００３４】
一方、制御部１００は、二つの操作キーが同時に押されていると判定した場合（Ｓ２でＹＥＳ）、当該押された二つの操作キーに対応する二つの機能画面に共通する機能設定キー（共通機能キー）が存在するか否かを判定する（Ｓ４）。例えば、原稿の拡大／縮小、印刷濃度、及び原稿の読み込みサイズは、コピー機能及び送信機能の双方に共通する機能設定であり、コピー画面１０２における拡大／縮小キーＫ１３、濃度キーＫ１４、及び原稿サイズキーＫ１７は共通機能キーに該当する。制御部１００が、当該押された二つの操作キーに対応する二つの機能画面に共通機能キーがあると判断した場合は（Ｓ４でＹＥＳ）、制御部１００は、表示画面においてそれら共通機能キーを他の機能設定キーとは区別して分けて表示させるように設定する（Ｓ５）。なお、制御部１００が、当該押された二つの操作キーに対応する二つの機能画面に共通機能キーがないと判断した場合は（Ｓ４でＮＯ）、Ｓ５の処理はスキップされる。
【００３５】
更に、制御部１００は、二つの操作キーが同時に押されている場合において、これら二つの操作キーが時間差（例えば、0.5秒以上）をもって押されたか否か、つまり、先に一
方の操作キーが押され、後から他の操作キーが押されたか否かを判定する（Ｓ６）。二つの操作キーが同時に押されているが、これら二つの操作キーが上記時間差を有して押されていない場合（Ｓ６でＮＯ）、制御部１００は、当該押されている二つの操作キーに対応する二つの機能画面をデフォルトの優先順位で表示部４７３に同時に表示させる（Ｓ７）。例えば、制御部１００は、両方の操作キーに対応する各機能画面を同等の表示面積で表示部４７３に表示させる。
【００３６】
一方、二つの操作キーが時間差をもって同時に押されている場合（Ｓ６でＹＥＳ）、制御部１００は、先に押された操作キーに対応する機能画面の方が、後に押された操作キーに対応する機能画面よりも優先順位が高くなるようにこれら二つの機能画面の両方を表示部４７３に同時に表示させる（Ｓ８）。
【００３７】
図７は、コピーキーＫ１と送信キーＫ２が同時に押されている場合のコピー画面と送信画面の同時表示の一例（分割表示）を示す図である。図７に示すように、制御部１００は、コピー＆送信画面１０４を表示部４７３に表示させる。このとき、制御部は、表示部４７３の表示領域を上下に分割し、上部にコピー機能の画面を、下部に送信機能の画面を配置して、コピー＆送信画面１０４を表示部４７３に表示させる。
【００３８】
例えば、制御部１００は、優先順位が高い機能画面を上部に表示するというルールを記憶している場合、コピーキーＫ１が先に押され、その後、コピーキーＫ１が押されたままで送信キーＫ２が押された場合（Ｓ６でＹＥＳ）、制御部１００は、図７に示したように、上部にコピー機能の画面を、下部に送信機能の画面を表示させる（Ｓ８）。もしコピーキーＫ１と送信キーＫ２がこれとは逆の順序で押された場合、制御部１００は、図７とは逆の配置、すなわち、上部に送信機能の画面を、下部にコピー機能の画面を表示させる。
【００３９】
あるいは、制御部１００は、送信機能の画面よりもコピー機能の画面の方がデフォルトで優先順位が高いとするルールを記憶している場合には、コピーキーＫ１と送信キーＫ２の押下の先後を問わず、制御部１００は、図７に示したように、上部にコピー機能の画面を、下部に送信機能の画面を表示させるようにしてもよい。なお、制御部１００が、コピー機能の画面よりも送信機能の画面の方がデフォルトで優先順位が高いとするルールを有している場合は、コピーキーＫ１と送信キーＫ２の押下の先後を問わず、制御部１００は、図７とは逆の配置、すなわち、上部に送信機能の画面を、下部にコピー機能の画面を表示させるようにしてもよい。
【００４０】
原稿の拡大／縮小、印刷濃度、及び原稿の読み込みサイズは、コピー機能及び送信機能の双方に共通する機能設定であるため、制御部１００は、コピー＆送信画面１０４において、拡大／縮小キーＫ１３、濃度キーＫ１４、及び原稿サイズキーＫ１７をコピー機能及び送信機能の共通機能キーとして他の機能設定キーとは区別して、これらとは離れた表示領域に表示させる。
【００４１】
なお、コピー＆送信画面１０４では分割表示により各機能画面の表示領域が狭くなるため、元のコピー画面１０２（図４）及び送信画面１０３（図５）に含まれる機能設定キーの個数を減らしてコピー＆送信画面１０４を表示するようにしてもよい。例えば、図７の例では、元のコピー画面１０２中のプレビューキーＫ１１及びショートカットキーＫ１８、及び元の送信画面１０３中のプレビューキーＫ２１を省略した例を示している。
【００４２】
なお、上記では、一方の操作キーが押下されている状態で後から他の操作キーが押される場合の処理を説明したが、制御部１００は、上記二つの操作キーが同時に押されており、この状態から一方の操作キーが押されたままで他方の操作キーが離されたときには、当該一方の操作キーに対応する機能画面の表示領域を、当該離された他方の操作キーに対応する機能画面よりも広くして、これら両機能画面を画面分割して表示部に４７３表示させることも可能である。
【００４３】
更に、制御部１００は、一方の操作キーが押された状態で他の操作キーが後から押された場合には、当該一方の操作キーが押されてから他の操作キーが押されるまでの時間に応じて、同時に表示する二つの機能画面の面積比率を変えてもよい。そのような面積比率の変更方法について説明する。図８は、二つの機能画面の面積比率を変えて分割表示する処理を示すフローチャートである。なお、当該フローチャートに示す処理は、図６におけるステップＳ８の詳細処理の一例である。
【００４４】
制御部１００は、二つの操作キーが時間差をもって同時に押された場合（Ｓ６でＹＥＳ）、先に一方の操作キーが押されて後に他の操作キーが押されるまでの上記時間差に応じて二つの機能画面の面積比率を決定する（Ｓ８１）。例えば、制御部１００は、先に一方の操作キーが押されてから他の操作キーが押されるまでの時間差が２秒以上であれば、当該操作キーに対応する機能画面の表示面積と、後から押された操作キーに対応する機能画面の表示面積の比率を、予め定められた面積比率、例えば７：３に設定する。そして、制御部１００は、決定した面積比率で、二つの機能画面を表示部４７３に同時に表示させる（Ｓ８２）。図９は、この場合の例を示す図であり、コピーキーＫ１と送信キーＫ２が同時に押されている場合のコピー画面と送信画面を、面積比率を変えて同時表示の別例（面積比率を変えた分割表示）を示す図である。
【００４５】
なお、上記面積比率の決定方法はあくまでも一例であり、これ以外の面積比率の決定方法を採用してもよい。例えば、制御部１００は、上記時間差の長さに応じて上記面積比率を異ならせ、当該上記面積比率を適時に算出するようにしてもよい。
【００４６】
なお、図７及び図９に示したコピー＆送信画面１０４において、二つの機能画面の面積比率を操作者の操作により後から変更するようにしてもよい。例えば、操作者が、二つの機能画面のいずれかの表示領域に指で触れ、操作者が当該指を画面上で他方の機能画面に向かってスライド移動させると、タッチパネル機能により、当該スライド移動による移動量が制御部１００に入力され、制御部１００が、当該移動量に応じて、二つの機能画面の面積比率を変更する。例えば、制御部１００は、上記移動量に応じた分だけ、上記接触があった機能画面の表示領域を大きくし、他方の機能画面の表示領域を小さくするように二つの機能画面の面積比率を変更する。
【００４７】
これにより、操作者は、表示部４７３に同時に表示された二つの機能画面を操作して二つの機能についての設定を１つの表示画面で入力可能である。図１０は、同時表示された二つの機能画面に対する操作の処理を示すフローチャートである。
【００４８】
操作者が二つの機能画面のうちの一方の機能画面に指で触れて、他方の機能選択画面に向けて当該指をスライド移動させると（Ｓ１１でＹＥＳ）、制御部１００は、上述したようにして、二つの機能画面の面積比率を変更する（Ｓ１２）。例えば、図７に示したコピー＆送信画面１０４におけるコピー機能の画面に指を接触させて、この接触から、送信機能の画面に向かって指をスライド移動させると、制御部１００は、図９に示したようにコピー機能の画面を広げて表示部４７３に表示させる。
【００４９】
ここで、操作者が共通機能キー（図７の例では拡大／縮小キーＫ１３、濃度キーＫ１４、及び原稿サイズキーＫ１７）に触れて設定を行うと（Ｓ１３でＹＥＳ）、制御部１００は、当該操作された共通機能キーの操作により入力される各指示による設定事項を、表示部４７３に表示された二つの機能画面が示す双方の機能についての設定として受け付ける（Ｓ１４）。例えば、図７のコピー＆送信画面１０４において拡大／縮小キーＫ１３が操作されて縮小率「８０％」が設定された場合、制御部１００は、コピー及び送信の両機能についての設定として、８０％縮小を受け付ける。
【００５０】
また、操作者が個別機能キー（図７の例では用紙選択キーＫ１２、両面／分割キーＫ１５、及びページ集約キーＫ１６）に触れて設定を行うと（Ｓ１５でＹＥＳ）、制御部１００は、当該操作された個別機能キーにより入力される指示が示す設定事項を、当該キーを表示している機能画面に対応する機能についての設定として受け付ける（Ｓ１６）。例えば、図７のコピー＆送信画面１０４において両面／分割キーＫ１５が操作されて、「片面⇒両面」が設定されると、制御部１００は、コピー機能についての設定として、当該「片面⇒両面」の設定を受け付ける。
【００５１】
制御部１００は、操作者が操作部４７におけるスタートキーＫ１０（図３）を押して、上記両機能画面が示す両機能の実行指示が制御部１００に受け付けられるまで（Ｓ１７でＮＯ）、Ｓ１１〜Ｓ１６の処理を繰り返し、当該両機能についての設定の入力を受け付ける。
【００５２】
そして、操作者が操作部４７におけるスタートキーＫ１０を押して、上記設定された内容での実行指示が制御部１００に受け付けられた場合（Ｓ１７でＹＥＳ）、制御部１００は、上記二つの機能画面が示す両機能に設定された内容に従って、当該両機能を実行する（Ｓ１８）。このとき、制御部１００は、上記Ｓ１１〜Ｓ１６の処理で上記二つの機能画面が示す両機能に対する受け付けた設定を、それぞれの機能のジョブに適用するが、上記共通機能キーの操作に基づいて受け付けた設定は、当該両機能の両方のジョブに適用する。
【００５３】
また、上記の二つの機能画面の同時表示は、図７や図９に示したように、表示部４７３を上下分割する以外に、これら二つの機能画面が、表示部４７３を視認する操作者から見て、擬似的に手前側と奥側に重なって見えるように表示してもよい。図１１は、コピー画面と送信画面の同時表示の更に別例（重畳表示）を示す図である。例えば、表示部４７３は、コピー＆送信画面１０５を、図１１に示すように、コピー機能の画面における機能設定キー以外の領域を、擬似的に半透明のように操作者に視認されるような表示にして、当該領域に送信機能の画面を表示することで、コピー機能の画面及び送信機能の画面を両方とも表示部４７３に表示させる。制御部１００は、例えば、コピー機能の画面の各キーを通常状態で表示し、送信機能の画面をグレイアウト表示により、表示するようにする。
【００５４】
例えば、コピーキーＫ１が先に押され、その後、コピーキーＫ１が押されたままで送信キーＫ２が押された場合、制御部１００は、図１１に示したように、コピー機能の画面に関する案内画像及び各キーを通常表示とし、送信機能の画面に関する表示を、当該コピー機能の画面に関する案内画像及び各キーの表示領域以外の表示領域にグレイアウト表示させることによって、操作者に対して、コピー機能の画面が最前面に、送信機能の画面がその後ろ（背面）に表示されているように見せかける表示を行う。なお、コピーキーＫ１と送信キーＫ２がこれとは逆の順序で押された場合、制御部１００は、図１１とは逆の配置、すなわち、送信機能の画面を最前面に、コピー機能の画面を背面に見せかける表示を行う。
【００５５】
あるいは、制御部１００が、送信機能の画面よりもコピー機能の画面の方がデフォルトで優先順位が高いとするルールを記憶している場合には、コピーキーＫ１と送信キーＫ２がほぼ同じタイミングで押されると、制御部１００は、図１１に示したように、コピー機能の画面を最前面に、送信機能の画面を背面に見せかける表示を行う。
【００５６】
なお、制御部１００は、コピー＆送信画面１０５では各機能画面にタブ画像ＴＢ１，ＴＢ２を設けて、操作者が操作したい機能画面のタブ画像ＴＢ１，ＴＢ２を操作した場合にこれを受け付けて当該操作されたタブ画像に対応する機能画面を上記最前面に表示させる処理を行う。これにより、操作者は、簡単な操作で、表示部４７３に表示されている両機能画面の表示の前後を切り換えることができる。
【００５７】
上記説明では、操作キーがハードキーであるとしたが、操作キーは表示部４７３に表示されるソフトキーであってもよい。図１２は、表示部４７３に表示される各種操作キー（ソフトキー）の一例を示す図である。
【００５８】
操作部４７におけるホームキーＫ５０（図３）を押すと、ホーム画面を表示部４７３に表示させる指示が制御部１００に受け付けられ、制御部１００は、表示部４７３に、図１２に示したようなホーム画面１０６を表示させる。例えば、ホーム画面１０６には、各種操作キー（ソフトキー）として、コピーキーＫ１’、送信キーＫ２’、ファックスキーＫ３’等が含まれる。
【００５９】
例えば、操作者がコピーキーＫ１’を押すと、これにより入力される指示に従って、制御部１００は、操作部４７に配置されたコピーキーＫ１を押したときと同様に、図４に示したようなコピー画面１０２を表示部４７３に表示させる。また、例えば、操作者が送信キーＫ２’を押すと、制御部１００は、操作部４７に配置された送信キーＫ２を押したときと同様に、図５に示したような送信画面１０３を表示部４７３に表示させる。
【００６０】
制御部１００は、表示部４７３に表示されたコピーキーＫ１’や送信キーＫ２’等のソフトキーが同時に押されている場合も、コピーキーＫ１や送信キーＫ２等のハードキーが同時に押されている場合と同様に、上述したようにして、二つの機能画面を表示部４７３に同時に表示させる。
【００６１】
更に、当該ソフトキーを表示させる実施形態においては、操作者の指が触れた位置に応じて二つの機能画面の同時表示を様々に変えることができる。図１３は、ソフトキーが押された場合の表示部４７３への機能画面の表示処理の一例を示すフローチャートである。なお、本実施形態では、特に、図６を用いて説明した各処理と同様の処理は説明を省略し、図６を用いて説明した各処理とは異なる処理に注目して説明する。
【００６２】
図６を用いて説明した各処理と同様にしてＳ２１〜Ｓ２５が行われた後、制御部１００は、二つの操作キーが同時に押されている場合において、これら二つの操作キーに対して操作者の指が触れる位置が異なるか否か、つまり、一方の操作キーの方が当該操作キーを示す画像における真ん中よりの位置で押され、他の操作キーについてはこれよりも、他の操作キーを示す画像において端部に寄った位置で押されたか否かを判定する（Ｓ２６Ａ）。二つの操作キーの押す位置がほぼ同じである場合（Ｓ２６ＡでＮＯ）、制御部１００は、当該押された二つの操作キーに対応する二つの機能画面をデフォルトの優先順位で表示部４７３に同時に表示させる（Ｓ２７）。例えば、制御部１００は、両方の操作キーに対応する各機能画面を同等の表示面積で表示部４７３に表示させる。
【００６３】
一方、二つの操作キーの押す位置が異なる場合（Ｓ２６ＡでＹＥＳ）、制御部１００は、真ん中が押された操作キーに対応する機能画面の方が、端が押された操作キーに対応する機能画面よりも優先順位が高くなるようにこれら二つの機能画面を表示部４７３に同時に表示させる（Ｓ２８Ａ）。
【００６４】
図１４は、表示部４７３に表示された操作キー（ソフトキー）の押し方の一例を示す図である。図１４に示したように、コピーキーＫ１’において操作者の指の接触箇所２０１が真ん中であり、送信キーＫ２’において操作者の指の接触箇所２０２がこれよりも端である場合、制御部１００は、コピー機能の画面を送信機能の画面よりも優先順位を高くしてこれら二つの機能画面を表示部４７３に同時に表示させる。例えば、制御部１００は、コピーキーＫ１’に対応する機能画面を、送信キーＫ２’ に対応する機能画面よりも、
大きな表示面積として表示部４７３に表示させる。
【００６５】
また、ソフトキーの場合、各操作キーの画像表示領域における操作者の指の接触面積に応じて二つの機能画面の各表示面積を変更する処理が行われる。図１５は、ソフトキーが押された場合の表示部４７３への機能画面の表示処理の一例を示すフローチャートである。図１６は、表示部４７３に表示された操作キー（ソフトキー）の押し方の別例を示す図である。なお、本実施形態では、特に、図６を用いて説明した各処理と同様の処理は説明を省略し、図６を用いて説明した各処理とは異なる処理に注目して説明する。
【００６６】
図６を用いて説明した各処理と同様にしてＳ２１〜Ｓ２５が行われた後、制御部１００は、二つの操作キーが同時に押されている場合において、これら二つの操作キーに対して操作者の指が触れる面積が等しいか否か、つまり、一方の操作キーについては操作者の指の接触面積が広く、他の操作キーについては操作者の指の接触面積が狭いか否かを、上記タッチパネル機能により制御部１００に入力される当該指の接触範囲を示す信号に基づいて判定する（Ｓ２６Ｂ）。
【００６７】
例えば、図１６に示すように、コピーキーＫ１’において操作者の指の接触箇所２０１の面積が広く、送信キーＫ２’において操作者の指の接触箇所２０２の面積が狭い場合がある。制御部１００は、上記タッチパネル機能により制御部１００に入力される当該指の接触範囲を示す信号に基づいて、いずれの接触面積が広いかを判定する。
【００６８】
制御部１００は、二つの操作キーについて操作者の指の接触面積がほぼ同じであると判断した場合（Ｓ２６ＢでＮＯ）、当該押された二つの操作キーに対応する二つの機能画面をデフォルトの優先順位で表示部４７３に同時に表示させる（Ｓ２７）。例えば、制御部１００は、両方の操作キーに対応する各機能画面を同等の表示面積で表示部４７３に表示させる。
【００６９】
一方、制御部１００は、二つの操作キーについて操作者の指の接触面積が異なると判断した場合は（Ｓ２６ＢでＹＥＳ）、接触面積が広い操作キーに対応する機能画面の方が、接触面積が狭い操作キーに対応する機能画面よりも優先順位が高くなるようにこれら二つの機能画面を表示部４７３に表示させる（Ｓ２８Ｂ）。例えば、制御部１００は、接触面積が広い操作キーに対応する機能画面を、接触面積が狭い操作キーに対応する機能画面よりも、大きな表示面積として表示部４７３に表示させる。
【００７０】
以上、説明したように、原稿のコピーとスキャンは、通常、別々のジョブとして実行する必要があるが、本実施形態によると、コピー機能の画面と送信機能の画面が同時に表示されるため、操作者は、原稿のコピーと読取画像の保存を１回のジョブで済ませることができる。
【００７１】
なお、本発明は上記実施の形態の構成に限られず種々の変形が可能である。上記実施形態では、本発明に係る電子機器の一実施形態として複合機を用いて説明しているが、これは一例に過ぎず、スマートフォン等の他の電子機器でもよい。
【００７２】
また、上記実施形態では、図１乃至図１６を用いて上記実施形態により示した構成及び処理は、本発明の一実施形態に過ぎず、本発明を当該構成及び処理に限定する趣旨ではない。
【符号の説明】
【００７３】
１        画像形成装置（電子機器）
４７      操作部
４７３    表示部
Ｋ１      コピーキー（第１の操作キー）
Ｋ１’    コピーキー（第１の操作キー）
Ｋ２      送信キー（第２の操作キー）
Ｋ２’    送信キー（第２の操作キー）
１００    制御部
１０２    コピー画面（第１の機能画面）
１０３    送信画面（第２の機能画面）
Ｋ１１〜Ｋ１８  （機能設定キー）
Ｋ２１〜Ｋ２５  （機能設定キー）
１２      画像形成部
【図１】
0006323390.tif 000002
【図２】
0006323390.tif 000003
【図３】
0006323390.tif 000004
【図４】
0006323390.tif 000005
【図５】
0006323390.tif 000006
【図６】
0006323390.tif 000007
【図７】
0006323390.tif 000008
【図８】
0006323390.tif 000009
【図９】
0006323390.tif 000010
【図１０】
0006323390.tif 000011
【図１１】
0006323390.tif 000012
【図１２】
0006323390.tif 000013
【図１３】
0006323390.tif 000014
【図１４】
0006323390.tif 000015
【図１５】
0006323390.tif 000016
【図１６】
0006323390.tif 000017